(57)【要約】【課題】  露光ヘッドの光量バラツキを原因とする感光材の濃度ムラを改善して良好な画像を得る露光装置とその光量補正方法を提供することである。【解決手段】  ライン状の画素列を有するＬＣＳ２１に、画像データＰ１に基づいたＬＣＳ駆動信号Ｐ６を供給して階調露光を行うと共に、前記画素列の発光出力を測定して得られた各画素毎の補正データＰ３により各画素の光量を均一にするための光量補正を行うシェーディング補正回路３２を備える露光装置であって、前記画素列の両端から所定数の画素の領域を除外画素領域とし、それ以外の画素の領域を対象画素領域として、前記対象画素領域を構成する対象画素の発光出力に基づいて作成された補正データＰ３を用いて光量補正を行うと共に、前記除外画素領域を構成する除外画素には前記対象画素の特定の画素と同じ補正データを供給する構成とした。【選択図】      図１
2005271494.tif 000002
【特許請求の範囲】
【請求項１】
複数の発光画素からなる発光画素列に、画像データを供給して階調露光を行うと共に、前記発光画素列の発光出力を測定して得られた各発光画素毎の補正データにより各発光画素の光量を均一にするための光量補正を行う露光装置に於いて、前記発光画素列の両端から所定数の発光画素の領域を除外画素領域とし、それ以外の画素の領域を対象画素領域として、前記対象画素領域を構成する対象発光画素の発光出力に基づいて作成された補正データを用いて光量補正を行うと共に、前記除外画素領域を構成する除外発光画素には前記対象発光画素の特定の発光画素と同じ補正データを供給することを特徴とする露光装置。
【請求項２】
前記除外発光画素に供給する補正データは、前記対象画素領域の両端の対象発光画素と同一の補正データである請求項１記載の露光装置。
【請求項３】
供給される画像データにより階調露光を行うための複数の発光画素からなる発光画素列を有し、前記発光画素列の発光出力を測定して得られた各発光画素毎の補正データにより各発光画素毎の光量を均一にするための光量補正を行う露光装置の光量補正方法に於いて、前記発光画素列の両端から所定数の発光画素の領域を除外画素領域とし、それ以外の画素の領域を対象画素領域として、前記対象画素領域を構成する対象発光画素の発光出力に基づいて補正データを作成し、この補正データを用いて前記対象発光画素の光量補正を行うと共に、前記除外画素領域を構成する除外発光画素には前記対象発光画素の特定の発光画素と同じ補正データを供給することを特徴とする露光装置の光量補正方法。
【請求項４】
前記除外発光画素に供給する補正データは、前記対象画素領域の両端の対象発光画素と同一の補正データである請求項３記載の露光装置の光量補正方法。
【発明の詳細な説明】
【技術分野】
【０００１】
本発明は、複数の発光画素からなる発光画素列によって画像を出力する露光装置に関し、特に、発光画素間の光量のバラツキを補正する補正手段を備えた露光装置とその光量補正方法に関するものである。
【背景技術】
【０００２】
従来、複数の発光画素を有する露光ヘッドを用いて、カラー感光材等に光露光を行い、カラー画像を形成する光プリンタが知られている。このような露光ヘッドでは複数の発光画素を有するため、様々な要因によって各発光画素による光量のバラツキが発生し、良好な画像を得ることが出来ないと言う不都合がある。このため、各発光画素の光量のバラツキを測定してシェーディング補正（光量補正）を行うことが提案されている（例えば特許文献１参照）。以下、従来の光プリンタヘッドを図面に基づいて説明する。
【０００３】
図７は従来の蛍光発光管を用いた光プリンタヘッドの発光画素配列と、該発光画素列から出力される光量特性図、及び従来のシェーディング補正を行った結果の光量特性図である。図７に於いて、１は蛍光発光管を用いた光プリンタヘッドであり、２と３は、第１及び第２の発光画素列である。該発光画素列２、３は略正方形の複数の発光画素２ａ〜２ｃと３ａ〜３ｃによって構成され、図示するように千鳥状に配列されている。尚、発光画素列２、３の合計発光画素数は、実際には数百又はそれ以上の画素数によって構成されるが、ここでは説明の都合上少ない画素数で現している。また、蛍光発光管は陽極基板、陰極、蛍光体層等を有しているが、ここでは省略している。
【０００４】
４は前記発光画素列２、３から出力される光量のバラツキを表す光量グラフであり、発光画素２ａ〜２ｃ、３ａ〜３ｃから出力される光量のバラツキの一例を示している。ここで、光量グラフ４は様々な要因によって図示する如く発光画素毎にバラツキがあるが、特に光プリンタヘッド１の両端付近の光量が中央付近の光量と比較してかなり低下していることが理解出来る。この主な原因は、図示しないが蛍光発光管の内部にあるフィラメント状の陰極の両端が金具に溶接されて固定されていることにより、その陰極の熱が金具に奪われるために陰極の両端付近の温度が低下し、電子放出に十分な温度にならないことに起因している。
【０００５】
ここで、上記のような光量のバラツキを有する光プリンタヘッドを用いて、カラー感光材としての銀塩インスタントフィルム等に画像を露光すると、画像に濃度のムラが生じ均一な画像を得ることが出来ない。このため、各発光画素の光量のバラツキを測定してシェーディング補正することが必要となる。具体的には全ての発光画素を同条件で点灯してその発光出力を計測し、該計測された光量に基づいてすべての発光画素の光量が一定になるように各発光画素に対する補正情報を算出し、該補正情報に基づいて各発光画素の光量を例えば点灯時間を制御するなどによって調整する。
【０００６】
この光量補正方法によれば、発光画素２ａ〜２ｃ、３ａ〜３ｃの中で最も光量の低い発光画素の光量に合わせて補正されることになり、すなわち、光量グラフ４の中で最も光量の低いグラフ左端の光量４ａの光量レベルＡに合わせることになる。ここで、光量の低い発光画素に合わせて補正する理由は、光量の高い発光画素に合わせて補正するには、光量の低い発光画素の点灯時間を長くすることや蛍光発光管への高い印加電圧の供給等が必要となり、露光時間（即ち印刷時間）の増加や露光エネルギーの増加等が起きて好ましくないからである。
【０００７】
しかし、光量の最も低い発光画素に合わせて補正しようとすると、光プリンタヘッド１の両端付近は、前述した如く光量がかなり低下しており、この両端付近の低い光量レベルに合わせて全体の光量補正を行うと、光量のバラツキは改善されても露光に必要な光量が得られずに、印刷された画像全体が暗くなる傾向にあり良好な画像を得ることが出来ない問題が発生する。また、画像の暗さを改善するために蛍光発光管への印加電圧を上昇させると、結果として、光量補正を行うことによって露光エネルギーを必要以上にロスするという問題も生じる。
【０００８】
このため、上記問題の改善策として特許文献１では、光量が低下する発光画素列２、３の両端付近の所定数の画素（すなわち発光画素２ａ、２ｂ、３ａ、３ｂ）を無効領域とし、無効領域以外の発光画素（すなわち発光画素２ｃ、３ｃ）を有効領域とし、該有効領域である発光画素２ｃ、３ｃについて同条件点灯時の光量を計測し、該計測された光量に基づいて有効領域内の発光画素の光量が一定になるように発光画素２ｃ、３ｃに対する補正情報を算出する。そして、該補正情報に基づいて発光画素２ｃ、３ｃの光量を点灯時間で制御するなどによって補正し、また、無効領域の発光画素２ａ、２ｂ、３ａ、３ｂについては光量補正を行わないという補正方法を提案している。この光量補正方法によれば、有効領域内で最も低い光量である光量４ｂを基準として露光補正されるので、その基準レベルは光量レベルＢとなる。ここで、前述した光量４ａを基準とした光量レベルＡと光量４ｂを基準とした光量レベルＢでは、図示する如く明らかに光量レベルＢの光量の方が高いので、光量補正を行っても印刷された画像が暗くなることが少なく、また、露光エネルギーのロスも小さい。
【０００９】
また、図示しないがライン状の画素列を有する液晶シャッタ（以下ＬＣＳと略す）と、ＲＧＢの発光ダイオード（以下ＬＥＤと略す）をライン光源として、カラー感光材に画像を露光し記憶する光プリンタヘッドも提案されている。そして、該ＬＣＳによる光プリンタヘッドに於いても、様々な要因によって各画素毎に光量のバラツキがあり、特に、画素列両端付近の光変調特性が変化する等により、画像を露光した感光材に濃度ムラが発生する問題がある。
【００１０】
ここで、光変調特性の変化はＬＣＳの構造上、画素列両端付近はＬＣＳの構成部材の１つであるシール材に位置的に近く、該シール材の不純物や未硬化樹脂などがＬＣＳの配向膜や液晶材料に悪影響を及ぼし、この結果、ＬＣＳの画素列中央付近の応答特性に対して画素列両端付近の応答特性が変化してしまうことが主たる要因と考えられる。すなわち、図８はＬＣＳに於ける応答特性図であり、横軸は駆動階調、縦軸は応答積分光量を示す。図８に於いて、ＴａはＬＣＳの中央部分を含むほぼ全体の画素の応答特性であり、ＴｂはＬＣＳの画素列両端付近の画素の応答特性である。前記応答特性Ｔｂは応答特性Ｔａに比べて、前述したシール材の影響によって応答特性が悪くなるために、同じ階調信号に対して応答積分信号が減少し、結果としてシェーディング補正を行う場合に、この画素列両端付近の画素からは、正しい補正基準値が得られない。従って、ＬＣＳによる光プリンターヘッドに於いても、画素列両端付近の画素を除外した有効領域の画素（応答特性Ｔａの画素）に基づくシェーディング補正が必要である。
【００１１】
【特許文献１】特許第３４４４２２９号公報（特許請求の範囲、第５図）
【発明の開示】
【発明が解決しようとする課題】
【００１２】
しかしながら、上記の光プリンタヘッドの光量補正は、光量補正を行う有効領域内では光量が均一に補正されるが、無効領域に於いては光量補正が行われないために、特に有効領域と無効領域の境界付近で光量の変化が著しく発生し、印刷された画像の両端部に濃度のムラが生じて良好な画像を得ることが出来ない。すなわち、図７の５は有効領域を光量
４ｂに合わせて光量補正した結果としての光量グラフであるが、図示する如く、有効領域内の光量は光量レベルＢに補正されて均一であるが、光量グラフ５の左右にある無効領域の光量は光量補正されていないために光量補正前の光量グラフ４と同じバラツキを有し、特に有効領域と無効領域の境界付近では光量の段差や大きな光量変化が生じ、濃度ムラがむしろ増加する傾向にさえある。
【００１３】
また、光量グラフ５は蛍光発光管を用いた光プリンタヘッドに於ける光量補正後のデータであるが、ＬＣＳを用いた光プリンタヘッドであっても同様な補正を行えば有効領域と無効領域の境界付近では光量の段差や大きな光量変化が生じるので濃度ムラの減少は期待出来ない。また、ＬＣＳの中央付近での応答特性と両端付近での応答特性の違いを補正する手段として、ＬＣＳの中央付近と両端付近での応答特性の差を調べ、該応答特性の差のデータから中央付近と両端付近の補正係数を変更してシェーディング補正する方法が考えられる。しかし、この補正方法では、ＬＣＳを用いた光プリンタヘッドの製造工程に於いて、個々のＬＣＳの応答特性を中央付近と両端付近毎に測定し補正係数を算出して補正データを決定する必要があり、製造工程の中での測定工数や検査調整工数が増大し露光装置の大幅なコストアップとなるので得策ではない。
【００１４】
本発明の目的は上記課題を解決し、露光ヘッドの光量補正に於いて、露光する全領域の光量バラツキを光量補正し、光量バラツキによる濃度のムラを改善して良好な画像を得る露光装置とその光量補正方法を提供することである。
【課題を解決するための手段】
【００１５】
上記課題を解決するために、本発明の露光装置とその光量補正方法は、下記記載の構成と方法を採用する。
【００１６】
本発明の露光装置は、複数の発光画素からなる発光画素列に、画像データを供給して階調露光を行うと共に、前記発光画素列の発光出力を測定して得られた各発光画素毎の補正データにより各発光画素の光量を均一にするための光量補正を行う露光装置に於いて、前記発光画素列の両端から所定数の発光画素の領域を除外画素領域とし、それ以外の画素の領域を対象画素領域として、前記対象画素領域を構成する対象発光画素の発光出力に基づいて作成された補正データを用いて光量補正を行うと共に、前記除外画素領域を構成する除外発光画素には前記対象発光画素の特定の発光画素と同じ補正データを供給することを特徴とする。
【００１７】
本発明の露光装置により、除外画素領域に於いても対象画素領域の特定の発光画素の補正データで光量補正を行うので、除外画素領域を含めた全ての画素領域で光量補正を実現でき、濃度ムラが少なく見栄えの良い良好な画像を印刷出来る。
【００１８】
また、本発明の露光装置が前記除外発光画素に供給する補正データは、前記対象画素領域の両端の対象発光画素と同一の補正データであることを特徴とする。
【００１９】
これにより、除外画素領域は対象画素領域の両端の対象発光画素と同一の補正データで光量補正を行うので、除外画素領域と対象画素領域の連続性を維持しながら光量補正を実現でき、この結果、除外画素領域と対象画素領域の境界付近での濃度ムラが減少し、印刷周辺部を含めて見栄えの良い良好な画像を印刷出来る。
【００２０】
本発明の露光装置の光量補正方法は、供給される画像データにより階調露光を行うための複数の発光画素からなる発光画素列を有し、前記発光画素列の発光出力を測定して得られた各発光画素毎の補正データにより各発光画素毎の光量を均一にするための光量補正を行う露光装置の光量補正方法に於いて、前記発光画素列の両端から所定数の発光画素の領
域を除外画素領域とし、それ以外の画素の領域を対象画素領域として、前記対象画素領域を構成する対象発光画素の発光出力に基づいて補正データを作成し、この補正データを用いて前記対象発光画素の光量補正を行うと共に、前記除外画素領域を構成する除外発光画素には前記対象発光画素の特定の発光画素と同じ補正データを供給することを特徴とする。
【００２１】
本発明の露光装置の光量補正方法により、除外画素領域に於いても対象画素領域の特定の発光画素の補正データで光量補正を行うので、除外画素領域を含めた全ての画素領域で光量補正を実現でき、濃度ムラが少なく見栄えの良い良好な画像を印刷出来る。
【００２２】
また、本発明の光量補正方法が前記除外発光画素に供給する補正データは、前記対象画素領域の両端の対象発光画素と同一の補正データであることを特徴とする。
【００２３】
この光量補正方法により、除外画素領域は対象画素領域の両端の対象発光画素と同一の補正データで光量補正を行うので、除外画素領域と対象画素領域の連続性を維持しながら光量補正を実現でき、この結果、除外画素領域と対象画素領域の境界付近での濃度ムラが減少し、印刷周辺部を含めて見栄えの良い良好な画像を印刷出来る。
【発明の効果】
【００２４】
上記の如く本発明によれば、除外画素領域に於いても対象画素領域の特定の発光画素の補正データで光量補正を行うので、除外画素領域を含めた全ての画素領域で光量補正を実現でき、濃度ムラが少なく見栄えの良い良好な画像を印刷する露光装置を提供出来る。
【発明を実施するための最良の形態】
【００２５】
以下図面により本発明の実施の形態を詳述する。図１は本発明の露光装置の回路ブロック図である。図２は本発明の露光装置のＬＣＳの画素配列と、該ＬＣＳの画素列から出力される光量特性図と、シェーディング補正を行った結果の光量特性図である。図３は本発明の露光装置にシェーディング補正を行うための光量測定を行う測定システムの構成を示すブロック図である。図４は本発明の露光装置のシェーディング補正を行うための光量測定のフローチャートである。図５は本発明の露光装置のシェーディング補正を行うための補正データを取得するフローチャートである。図６はシェーディング補正を行うための補正データの一例を示す補正データ表である。
【実施例１】
【００２６】
本発明の露光装置の回路構成を図１に基づいて説明する。１０は本発明の露光装置であり、露光ヘッド２０と露光制御回路３０によって構成される。露光ヘッド２０の２１はライン状の画素列（後述参照）を有するＬＣＳであり、２８は赤、緑、青の発光色を有する複数のＬＥＤである。該ＬＥＤ２８からの出力光は、図示しないが導光板によってライン状の光源となって前記ＬＣＳ２１の画素列に照射され、該画素列によって光変調された出力光は、レンズアレイ（図示せず）を介して銀塩インスタントフィルム（図示せず）等の感光材に露光される。
【００２７】
露光制御回路３０は、外部のパーソナルコンピュータ（図示せず）等からの画像データＰ１を入力する入力インターフェース回路（以下入力Ｉ／Ｆと略す）３１、前記画像データＰ１に対してシェーディング補正（光量補正）を行い補正画像データＰ２を生成するシェーディング補正回路３２、シェーディング補正のための補正データＰ３を記憶する補正データ用メモリ３３、画像データＰ１から露光タイミングデータＰ４を生成する露光補正回路３４、補正画像データＰ２と露光タイミングデータＰ４を入力してＬＣＳ制御信号Ｐ５を生成するＬＣＳ制御回路３５、ＬＣＳ制御信号Ｐ５を生成するためのルックアップテーブル（以下ＬＵＴと略す）３６、ＬＣＳ制御信号Ｐ５に応じてＬＣＳ２１の各画素を駆
動するＬＣＳ駆動信号Ｐ６を出力するＬＣＳ駆動回路３７、ＬＥＤ駆動条件データＰ７を記憶するＬＥＤ駆動条件メモリ３８、露光タイミングデータＰ４とＬＥＤ駆動条件データＰ７に応じてＬＥＤ２８を駆動するためのＬＥＤ駆動信号Ｐ８を生成するＬＥＤ点灯制御回路３９、ＬＣＳ駆動信号Ｐ６とＬＥＤ駆動信号Ｐ８を露光ヘッド２０のＬＣＳ２１とＬＥＤ２８に出力する出力インターフェース回路（以下出力Ｉ／Ｆと略す）４０を有している。尚、後述するシェーディング補正用の補正データＰ３とＬＥＤ駆動条件データＰ７は、それぞれ補正データ用メモリ３３とＬＥＤ駆動条件メモリ３８に予め記憶されているものとする。
【００２８】
次に、図２に基づいて本発明の露光装置１０の露光ヘッド２０のＬＣＳの画素配列と、該ＬＣＳから出力される光量分布特性について説明する。図２に於いて２１は前述した露光ヘッド２０に内蔵されるＬＣＳを簡易的に図示したものである。該ＬＣＳ２１は２枚のガラス基板２２ａ、２２ｂが僅かな隙間を介して張り合わされた構造であり、該ガラス基板２２ａ、２２ｂには透明電極（図示せず）が形成され、更にガラス基板２２ａ、２２ｂの隙間には液晶材料（図示せず）が封入されている。２３は前記透明電極によって形成される発光画素列としてのライン状の画素列であり、該画素列２３は発光画素としての略長方形の複数の画素２４によって構成される。尚、画素２４の形状は限定されず、例えば、所定の角度に傾いた略平行四辺形でも良く、また、前述の千鳥状の配列でも良い。
【００２９】
また、画素列２３以外の部分はクロム材料等から成る遮光膜（図示せず）により被覆されているので、画素列２３以外の部分は光を遮断し画素列２３を形成する複数の画素２４だけが光を透過する構造となっている。そして、該複数の画素２４を透過する前記ＬＥＤ２８からの出力光は、封入されている前記液晶材料がガラス基板２２ａ、２２ｂ上に形成される透明電極に印加される駆動電圧に応じて透過又は遮断されるので、この結果、ＬＣＳ２１は前記ＬＣＳ駆動信号Ｐ６に応じて透過光を光変調する光シャッターとしての機能を備える。尚、ＬＣＳ２１のガラス基板２２ａ又は２２ｂ上には、透明電極に駆動電圧を印加する駆動ＩＣが実装されることが一般的であるが、ここでは省略している。また、画素列２３を形成する画素２４の画素数は、本実施例に於いてはＶＧＡサイズの画像を印刷するために４８０個であり、画素ピッチは１００μｍであるが、ここでは説明の都合上少ない画素数で示している。また、画素数や画素ピッチは露光装置の仕様に応じて任意に決定して良い。
【００３０】
２５は前記ＬＣＳ２１の画素列２３の全ての画素２４を同一条件で駆動したときの画素２４から出力される光量分布の一例を示す光量グラフである。該光量グラフ２５によって明らかなように、各画素２４から出力される光量にはバラツキがあり、この光量バラツキには様々な要因があって露光ヘッド毎に異なるものである。ここで、該光量グラフ２５の左右両端付近は光量の低下と大きな光量変化が見られるが、この主な原因は、前述した如く、ＬＥＤ２８によるライン光源の光量分布特性のバラツキや、ＬＣＳ２１の画素列２３に対応して配置されるライン状に配列されたレンズアレイ（図示せず）の両端付近による光量低下、及び、画素列両端付近での応答特性の変化等と考えられる。尚、本発明のシェーディング補正の効果を分かり易く説明するために、従来例として示した光プリンタヘッドの光量バラツキ（光量グラフ４）と本発明の露光装置の光量バラツキ（光量グラフ２５）を同一と仮定して提示した。
【００３１】
本発明は、上記光量グラフ２５に見られるような光量バラツキによって生じる感光材の濃度ムラを減少させ、特に画素列両端付近の濃度ムラを軽減させることを主要な目的としている。尚、２６は本発明によってシェーディング補正（光量補正）を行い、光量バラツキを減少させた一例を示す光量グラフであるが詳細な説明は後述する。以下、シェーディング補正のための補正データを取得する測定システム、及び、実際のシェーディング補正方法について説明する。
【００３２】
図３に基づいて本発明の露光装置でシェーディング補正を行うための補正データを取得する測定システムの構成を説明する。図３に於いて測定システムは、測定対象である前記露光装置１０、測定装置５０、制御用のパーソナルコンピュータ（以下ＰＣと略す）８０等によって構成される。露光装置１０は図示しないがアタッチメントによって測定装置５０に取り付けられており、信号ラインＰ１０、Ｐ１１によって露光装置１０と測定装置５０が電気的に接続される。また、測定装置５０とＰＣ８０はバスラインＰ１２によって接続されている。
【００３３】
測定装置５０は、露光装置インターフェース回路（以下露光装置Ｉ／Ｆと略す）５１、電流供給回路５２、ＰＣインターフェース回路（以下ＰＣ−Ｉ／Ｆと略す）５３、駆動条件信号作成手段６０、光量測定手段７０を有している。駆動条件信号作成手段６０は、測定装置５０の全体を制御するＣＰＵ６１、露光装置Ｉ／Ｆ５１と信号ラインＰ１０を介して露光装置１０の前記ＬＣＳ２１を駆動制御するＬＣＳ駆動回路６２、前記ＬＥＤ２８の駆動条件データを記憶するためのＬＥＤ駆動条件用メモリ６３、露光ヘッド２０に内蔵される前記ＬＣＳ２１を測定するための駆動条件データを記憶するＬＣＳ駆動条件用メモリ６４、ＬＣＳ２１の各画素の照度Ｆ（Ｎ）（後述参照）を記憶する光量用メモリ６５、ＬＣＳ２１の各画素の光量バラツキを補正するための補正データを記憶する補正データ用メモリ６６を有している。
【００３４】
ＣＰＵ６１はＰＣ−Ｉ／Ｆ５３とバスラインＰ１２を介してＰＣ８０と接続され、該ＰＣ８０から測定開始タイミング、測定終了タイミング、及び露光ヘッド２０の駆動条件等の制御データを入力し、該制御データによって露光ヘッド２０及び測定装置５０全体を制御し露光ヘッド２０からの発光出力を測定する。また、電流供給回路５２は、露光装置Ｉ／Ｆ５１と信号ラインＰ１１を介して露光ヘッド２０に内蔵される前記ＬＥＤ２８に駆動電流を供給し、且つ、供給する電流値を変化させることによってＬＥＤ２８の発光強度を制御する。
【００３５】
光量測定手段７０は、ＣＣＤラインセンサ７１、該ＣＣＤラインセンサ７１を制御するためのＣＣＤ制御回路７２、ＣＣＤラインセンサ７１が有する複数の受光素子の各々の受光量を検出するための受光量検出回路７３、該受光量検出回路７３の検出出力を積分して所定時間あたりの受光量データを得る積分回路７４等を有している。尚、ＣＣＤラインセンサ７１はライン状に配列された複数の受光素子（図示せず）を有し、その受光長さはＬＣＳ２１の画素列２３の長さより長く設定されており、一例としてその受光素子の総数は２０４８個であり、受光素子のピッチ幅は２５μｍである。また、測定装置５０は、図示しないがＣＰＵ６１の制御用プラグラムを記憶するＲＯＭや各種データを一時的に記憶するＲＡＭ等を含んでいる。
【００３６】
測定装置５０及びＰＣ８０は、後述する測定手順に従って露光ヘッド２０のＬＥＤ２８のＬＥＤ駆動条件データ及びＬＣＳ２１の補正データを求め、一時的にＬＥＤ駆動条件用メモリ６３及び補正データ用メモリ６６に記憶する。ＰＣ８０は記憶制御信号Ｐ１３を出力し、測定装置５０に一時的に記憶されたＬＥＤ駆動条件データ及び補正データを露光装置１０の露光制御回路３０のＬＥＤ駆動条件用メモリ３８及び補正データ用メモリ３３に転送して記憶させ、適正なＬＥＤ駆動及びシェーディング補正を行うことが出来る露光装置１０を製造する。
【００３７】
次に、図４に基づいて図３で示した測定システムによって実行されるＬＥＤ２８への印加電流値の決定とＬＣＳ２１の各画素２４からの発光出力の測定について説明する。まず、光量測定に際し、露光ヘッド２０が測定装置５０の所定の場所にセットされ、ＰＣ８０から測定開始指示がバスラインＰ１２を介して測定装置５０のＣＰＵ６１に伝達され測定
動作が開始される。
【００３８】
図４に於いて測定装置５０のＣＰＵ６１は、予め定められている基準ＬＥＤ電流値を電流供給回路５２を介して露光ヘッド２０のＬＥＤ２８に供給しＬＥＤ２８は点灯する（ＳＴ１）。ここで、ＬＥＤ２８は前述した如く、赤、緑、青の複数の発光色を有するＬＥＤで構成され、各画素２４の光量はそれぞれの発光色について測定されるので、例えば最初に赤のＬＥＤ２８に電流が供給され点灯する。また、ＣＰＵ６１はＬＣＳ駆動回路６２を制御し、ＬＣＳ２１の全ての画素２４を同一条件で駆動する。例えば、ＬＣＳ２１が８Ｂｉｔの階調信号で駆動され階調範囲が０〜２５５であるならば、中間階調である１２８で全ての画素２４を駆動すると良い。
【００３９】
次に、ＣＣＤラインセンサ７１はＬＣＳ２１の画素列２３からのライン状の発光出力を入力し受光信号を出力する。受光量検出回路７３はＣＣＤラインセンサ７１からの受光信号を検出し、積分回路７４は検出された受光信号を一定期間積分し、図示しないがＡ／Ｄ変換回路によってデジタル信号に変換後、受光素子毎の光量データＥ（Ｘ）としてＣＰＵ６１に入力する（ＳＴ２）。尚、前述した如く、ＣＣＤラインセンサ７１は２０４８個の受光素子を有しているので、２０４８個の光量データＥ（Ｘ）（Ｘは０〜２０４７）が取得される。
【００４０】
ここで、前述した如く、ＬＣＳ２１の画素２４の画素ピッチは１００μｍであり、ＣＣＤラインセンサ７１の受光素子のピッチは２５μｍであるので、一つの画素２４からの発光出力に対して４つの受光素子が受け持つことになる。また、ＬＣＳ２１の画素列２３は図２で示すように、画素と画素の間に隙間（通常は２５μｍ位）が存在するので、この部分は光が透過せず光量は低下する。よって、ＣＣＤラインセンサ７１からの光量データＥ（Ｘ）は、画素２４のピッチに準じて４つのデータ毎に光量値が低下するデータ（谷部）が存在する。
【００４１】
次に、ＣＰＵ６１は入力された光量データＥ（Ｘ）の光量最大値Ｅｍａｘを求める（ＳＴ３）。次に、ＣＰＵ６１は光量最大値Ｅｍａｘが予め定められている範囲に含まれるか否かを判定する。肯定判定であればフローＳＴ６へ進み、否定判定であればフローＳＴ５へ進む（ＳＴ４）。これは、光量最大値Ｅｍａｘが大きすぎるとＡ／Ｄ変換回路の出力値が飽和している可能性があり、また、小さすぎると光量データＥ（Ｘ）が圧縮されて良好な測定結果を得ることが出来ないからである。尚、本実施形態では、光量最大値Ｅｍａｘが一例としてＡ／Ｄ変換回路の変換限界の９０％以下、且つ、８０％以上の範囲になるように設定される。
【００４２】
次に、フローＳＴ４で否定判定がなされたならば、フローＳＴ１で印加した基準ＬＥＤ電流値を所定比例分変化させて再度フローＳＴ２〜ＳＴ４を実行する（ＳＴ５）。ここで所定比例分は本実施形態に於いては１０％であり、光量最大値Ｅｍａｘが予め定められている範囲より高い場合には１０％ダウンし、低い場合には１０％アップするように電流供給回路５２によってＬＥＤ電流値を変更する。
【００４３】
次に、フローＳＴ４で肯定判定がなされたならば、ＣＰＵ６１は光量データＥ（Ｘ）から光量値が低下している谷部Ｖ（Ｎ）を検出し記憶する（ＳＴ６）。ここで谷部Ｖ（Ｎ）は前述した如く、ＬＣＳ２１の画素間の隙間によって光量が低下することにより発生するものであり、該谷部Ｖ（Ｎ）を検出することによってＬＣＳ２１の各画素２４の位置を判別することが可能となる。尚、Ｎは各谷部の位置を示すシリアル番号であり、０及び１以上の整数である。
【００４４】
次に、ＣＰＵ６１は隣接する谷部Ｖ（Ｎ）と谷部（Ｎ＋１）との間で最も大きな光量デ
ータを検出しピーク値Ｐ（Ｎ）として記憶する（ＳＴ７）。また、ＣＰＵ６１はピーク値Ｐ（Ｎ）と共に、該ピーク値Ｐ（Ｎ）を検出したＣＣＤラインセンサ７１の受光素子番号Ｘｐも取得し記憶する。
【００４５】
次に、ＣＰＵ６１は谷部Ｖ（Ｎ）と隣接するピーク値Ｐ（Ｎ）との変化量である隣接変化量Ｒ（Ｎ）を算出し記憶する（ＳＴ８）。尚、隣接変化量Ｒ（Ｎ）は谷部Ｖ（Ｎ）と隣接するピーク値Ｐ（Ｎ）との間の変化量、次に、ピーク値Ｐ（Ｎ）と隣接する谷部Ｖ（Ｎ＋１）との間の変化量というように求める。また、隣接変化量Ｒ（Ｎ）の極性は谷部Ｖ（Ｎ）から隣接するピーク値Ｐ（Ｎ）へ上昇する方向を（＋）、ピーク値Ｐ（Ｎ）から隣接する谷部Ｖ（Ｎ＋１）へ下降する方向を（−）として記憶する。
【００４６】
次に、ＣＰＵ６１は記憶された隣接変化量Ｒ（Ｎ）から最大増加量Ｒｍａｘと最大減少量Ｒｍｉｎを検出し、その位置を記憶する（ＳＴ９）。
【００４７】
次に、ＣＰＵ６１は最大増加量Ｒｍａｘと最大減少量Ｒｍｉｎの位置を基準として、その間をＬＣＳ２１の画素列２３が存在する画素領域として認識し記憶する（ＳＴ１０）。
【００４８】
次に、ＣＰＵ６１は求められた画素領域（すなわちＬＣＳ２１の画素列２３の幅）の両端部の所定数の画素の領域を除外画素領域とし、残りの画素領域を対象画素領域として記憶する（ＳＴ１１）。ここで、本実施形態に於いては、除外画素領域を構成する除外画素の画素数を５画素ずつとする。尚、除外画素領域と対象画素領域の一例を図２のＬＣＳ２１で示し、画素列２３の左端画素の位置をＮ＝０とするならば、除外画素領域は全画素領域の両端部に存在するので除外画素の画素位置はＮ＝０〜４とＮ＝４７５〜４７９となり、また、対象画素領域を構成する対象画素の画素位置はＮ＝５〜４７４となる。
【００４９】
次に、ＣＰＵ６１は記憶された対象画素領域内でのピーク値Ｐ（Ｎ）をＬＣＳ２１のＮ番目の画素２４の照度Ｆ（Ｎ）として記憶する（ＳＴ１２）。すなわち、ピーク値Ｐ（Ｎ）がそれぞれの画素２４からの光量として記憶される。尚、実際にはピーク値Ｐ（Ｎ）は隣接する画素からの光量を多少含んで測定されているので、必ずしも正確な個々の画素からの照度ではないが、ここでは、簡易的な手法としてピーク値Ｐ（Ｎ）＝照度Ｆ（Ｎ）とする。
【００５０】
次に、ＣＰＵ６１は対象画素領域内（Ｎ＝５〜４７４）に於ける照度Ｆ（Ｎ）の内の最小光量Ｆｍｉｎを検出し記憶する（ＳＴ１３）。
【００５１】
次に、ＣＰＵ６１は最小光量Ｆｍｉｎが予め定められた光量の範囲内か否かを判定する。ここで、肯定判定ならば次のフローＳＴ１７へ進み、否定判定ならばフローＳＴ１５へ進む（ＳＴ１４）。
【００５２】
次に、フローＳＴ１４で否定判定がなされたならば、ＣＰＵ６１は現時点でＬＥＤ２８に印加されている電流値を所定比例分（例えば５％）変化させた電流値に変更し、新たに変更された電流値を電流供給回路５２を制御してＬＥＤ２８に供給する（ＳＴ１５）。ここで一例として最小光量Ｆｍｉｎが予め定められた範囲より小さい場合にはＬＥＤ電流を＋５％アップし、大きい場合には−５％ダウンするように変化させる。
【００５３】
次に、前述したフローＳＴ２と同様に、ＣＣＤラインセンサ７１はＬＣＳ２１の画素列２３からのライン状の発光出力を入力し、光量データＥ（Ｘ）を再取得してＣＰＵ６１に入力する（ＳＴ１６）。次に、光量データＥ（Ｘ）の再取得後、フローＳＴ６〜ＳＴ１６を繰り返し、最小光量Ｆｍｉｎが予め定められた光量の範囲内に入るようにＬＥＤ電流値が調整される。尚、最小光量Ｆｍｉｎが著しく低い場合は、ＬＣＳ２１の画素２４にゴミ
などの付着や、ＬＥＤ２８の故障等が想定されるので、上記の最小光量Ｆｍｉｎの調整フローは実行せず、露光ヘッド２０を不良品とすることが好ましい。
【００５４】
次に、フローＳＴ１４で肯定判定がなされたならば、ＣＰＵ６１は現時点のＬＥＤ電流値をＬＥＤ駆動条件用メモリ６３に記憶し、同時に現時点のＬＣＳ２１の各画素２４への駆動時間に関するデータをＬＣＳ駆動条件用メモリ６４に記憶させる（ＳＴ１７）。
【００５５】
次に、ＣＰＵ６１は現時点の照度Ｆ（Ｎ）を後述するシェーディング補正のために光量用メモリ６５に記憶させる（ＳＴ１８）。以上により、ＬＥＤ２８への印加電流値の決定とＬＣＳ２１の各画素２４からの発光出力の光量測定を終了する。
【００５６】
次に、図５のフローチャートに基づいて本発明の露光装置のシェーディング補正のための補正データの取得を説明する。ここで、図５に示すフローチャートは測定システムのＰＣ８０に記憶されているシステム制御ソフトウエアに従い、ＰＣ８０と測定装置５０のＣＰＵ６１が相互に連携しながら実行しても良いし、または、ＰＣ８０が単独で実行しても良いが、ここでは一例としてＰＣ８０が単独で実行するものとして説明する。図５に於いて最初に、ＰＣ８０はＬＣＳ２１の全ての画素２４に共通な駆動階調（Ｈ）と規格化された規格化照射露光量Ｔとの関係式Ｔ（Ｈ）を用意する（ＳＴ２１）。尚、関係式Ｔ（Ｈ）については後述する。
【００５７】
次に、ＰＣ８０は測定装置５０の光量用メモリ６５に記憶されている対象画素領域の照度Ｆ（Ｎ）を読み出す（ＳＴ２２）。
【００５８】
次に、ＰＣ８０は照度Ｆ（Ｎ）の中から最小光量Ｆｍｉｎを検出する（ＳＴ２３）。
【００５９】
次に、ＰＣ８０はＮ＝５と設定し、対象画素領域の一番最初の画素（図２の対象画素領域で左端の画素）を選択する（ＳＴ２４）。
【００６０】
次に、ＰＣ８０は検出した最小光量Ｆｍｉｎを基準として第Ｎ番目の画素に関する補正参照値Ｕ（Ｎ）を求める（ＳＴ２５）。ここで、補正参照値Ｕ（Ｎ）は以下の式から求めることが出来る。
Ｕ（Ｎ）＝Ｆｍｉｎ／Ｆ（Ｎ）
尚、最小光量Ｆｍｉｎに対応する画素の補正参照値は１．００となる。
【００６１】
次に、ＰＣ８０は駆動階調レベルＨをＨ＝０と設定する（ＳＴ２６）。ここで、駆動階調レベルＨとはＬＣＳ２１を階調駆動するレベルであり、本実施形態では８ｂｉｔによる階調駆動であるので、その駆動階調レベルＨの範囲は０〜２５５である。
【００６２】
次に、ＰＣ８０はＮ番目の画素に関して駆動階調レベルＨが入力された場合に必要な照射露光量Ｓ（Ｈ）を、補正参照値Ｕ（Ｎ）及び関係式Ｔ（Ｈ）から下記の式を用いて求める（ＳＴ２７）。
Ｓ（Ｈ）＝Ｔ（Ｈ）／Ｕ（Ｎ）
【００６３】
次に、ＰＣ８０はＮ番目の画素に関して、Ｓ（Ｈ）＝Ｔ（Ｈ´）を満足する実数値Ｈ´を求める（ＳＴ２８）。ここで、Ｈ´はＮ番目の画素に駆動階調レベルＨが与えられた場合に、最小光量Ｆｍｉｎに対する画素に駆動階調レベルＨが与えられた場合と同じ照射露光量を得るために必要な駆動階調レベルを表している。即ち、Ｎ番目の画素に駆動階調レベルＨが与えられた場合に、ＨをＨ´に変更するようにして、シェーディング補正を行うものである。
【００６４】
次に、ＰＣ８０はＨ´の小数点以下を四捨五入して、整数値である補正データＨ”を求める（ＳＴ２９）。これは、本実施形態に於ける露光ヘッド２０を含むシステムが、前述した如くに８ｂｉｔによる階調駆動であり、駆動階調レベルが０〜２５５の整数のみしか扱えないからである。
【００６５】
次に、ＰＣ８０は補正データＨ”を測定装置５０の補正データ用メモリ６６に記憶する（ＳＴ３０）。
【００６６】
その後、ＰＣ８０はＮ番目の画素に関して全ての駆動階調レベル（Ｈ＝０〜２５５）について同様の処理を繰り返す（ＳＴ２７〜ＳＴ３１及びＳＴ３３）。また更に、全ての対象画素領域（Ｎ＝５〜４７４）について同様の処理を繰り返す（ＳＴ２５〜ＳＴ３４）。
【００６７】
次に、ＰＣ８０はフローＳＴ３０で測定装置５０の補正データ用メモリ６６に記憶された対象画素領域の両端画素の補正データＨ”を読み出す（ＳＴ３５）。即ち、対象画素領域の両端画素はＮ＝５とＮ＝４７４であり、この画素の補正データＨ”を読み出す。尚、ＰＣ８０内に補正データＨ”を記憶している場合は、その補正データＨ”を用いて良い。
【００６８】
次に、ＰＣ８０は読み出されたＮ＝５の画素の補正データＨ”を除外画素領域（Ｎ＝０〜４）の補正データとして補正データ用メモリ６６に記憶する。また、ＰＣ８０は読み出されたＮ＝４７４の画素の補正データＨ”を除外画素領域（Ｎ＝４７５〜４７９）の補正データとして補正データ用メモリ６６に記憶する（ＳＴ３６）。すなわち、除外画素領域（Ｎ＝０〜４）の補正データは、該除外画素領域に隣接する対象画素領域の左端画素（Ｎ＝５）の補正データと同一となり、また、除外画素領域（Ｎ＝４７５〜４７９）の補正データは、該除外画素領域に隣接する対象画素領域の右端画素（Ｎ＝４７４）の補正データと同一となる。次に、ＰＣ８０は全ての画素領域（即ち、Ｎ＝０〜４７９）に対する補正データＨ”を測定装置５０の補正データメモリ６６から読み出して露光装置１０の補正データ用メモリ３３に補正データＰ３として記憶し、また、図４のフロー１７でＬＥＤ駆動条件メモリ６３に記憶されたＬＥＤ電流値を読み出して露光装置１０のＬＥＤ駆動条件メモリ３８にＬＥＤ駆動条件データＰ７として記憶し、フローを終了する。
【００６９】
次に、関係式Ｔ（Ｈ）について簡単に説明する。関係式Ｔ（Ｈ）はＬＣＳ２１の全ての画素２４に共通する関係式であり、駆動階調レベル（Ｈ）と規格化された規格化照射露光量Ｔの関係を表すものである。また、関係式Ｔ（Ｈ）はＬＣＳ２１の駆動特性、及び使用される銀塩インスタントフィルム等の感光材の感度特性とによって求められる関係式であり、本実施形態では、後段の計算を容易にするために最小二乗近似の手法によって以下の１０次多項式によって現すこととした。
【数１】
2005271494.tif 000003
ここで、式中の各係数Ａ0〜Ａ10は、赤緑青の各色ＬＥＤの発光波長毎に異なるが、その数値はここでは省略する。
【００７０】
次に、前述した図５のフローよって求められた補正データＨ”の一例を図６に示す。該補正データＨ”は、各画素（Ｎ＝０〜４７９）の全ての駆動階調レベルＨに対応した補正駆動階調として前述した露光制御回路３０の補正データ用メモリ３３に記憶される。尚、
ここではＮ＝６の画素が最小光量Ｆｍｉｎに対応する画素として示しており、Ｎ＝６の画素の補正データＨ”と駆動階調Ｈは等しい。また、除外画素領域（Ｎ＝０〜４）の補正データＨ”は、隣接する対象画素領域の左端（Ｎ＝５）の補正データＨ”と同一であり、また、同様に除外画素領域（Ｎ＝４７５〜４７９）の補正データＨ”は、隣接する対象画素領域の右端（Ｎ＝４７４）の補正データＨ”と同一である。尚、図６に示す補正データＨ”は赤色ＬＥＤからの出力光に関する補正データであり、実際には、緑色ＬＥＤと青色ＬＥＤからの出力光についても同様な手順に従って補正データを求め、露光制御回路３０の補正データ用メモリ３３に記憶させる。
【００７１】
次に、図１に基づいて露光制御回路３０の補正データ用メモリ３３に記憶された前記補正データＨ”（即ち、図１で示す補正データＰ３）と、ＬＥＤ駆動条件メモリ３８に記憶された前記ＬＥＤ電流値（即ち、図１で示すＬＥＤ駆動条件データＰ７）によって、シェーディング補正が行われる露光装置１０の動作を説明する。図１に於いて、入力Ｉ／Ｆ３１を介して画像データＰ１（ビットマップデータ）がシェーディング回路３２に入力されると、該シェーディング回路３２は順次入力される画像データＰ１の個々のデータが、ＬＣＳ２１のどの位置の画素によって露光されるかを調べ（即ちＮを求め）、且つ、画像データＰ１の値を駆動階調Ｈとして補正データ用メモリ３３に記憶されている補正データＨ”を読み出し、読み出された該補正データＨ”を補正画像データＰ２としてＬＣＳ制御回路３５へ出力する。即ち、画像データＰ１の値はシェーディング補正回路３２によって補正データ用メモリ３３に記憶された補正データＨ”に変換され、補正画像データＰ２としてＬＣＳ制御回路３５に入力される。
【００７２】
次にＬＣＳ制御回路３５は前記補正画像データＰ２と露光タイミングデータＰ４を入力し、ＬＵＴ３６からのＬＵＴデータＰ９に基づいて露光濃度の非線形性を補正した後、ＬＣＳ制御信号Ｐ５を出力する。ＬＣＳ駆動回路３７は前記ＬＣＳ制御信号Ｐ５を入力し、ＬＣＳ２１を階調駆動するＬＣＳ駆動信号Ｐ６を出力する。露光ヘッド２０に内蔵されるＬＣＳ２１は前記ＬＣＳ駆動信号Ｐ６を出力Ｉ／Ｆ４０を介して入力し、画素列２３の全ての画素２４を階調駆動してシェーディング補正によって均一な露光動作を実行する。
【００７３】
一方、露光制御回路３０のＬＥＤ駆動条件メモリ３８は記憶しているＬＥＤ駆動条件データＰ７を出力しＬＥＤ点灯制御回路３９に入力する。ＬＥＤ点灯制御回路３９はＬＥＤ駆動条件データＰ７と露光タイミングデータＰ４を入力し、内部のＤ／Ａ変換回路（図示せず）によってアナログ量に変換され、各色毎に設定されたＬＥＤ駆動電流をＬＥＤ駆動信号Ｐ８として出力する。露光ヘッド２０に内蔵されるＬＥＤ２８はＬＥＤ駆動信号Ｐ８を入力し、各色毎に設定されたＬＥＤ駆動電流によって点灯制御され、ＬＣＳ２１の露光光源として動作する。
【００７４】
図２の光量グラフ２６は、前述した図５のフローよって求められた補正データＨ”に基づいてシェーディング補正された露光ヘッド２０の光量特性の一例を示したものである。ここで、対象画素領域（Ｎ＝５〜４７４）は、最小光量Ｆｍｉｎの画素（Ｎ＝６）を基準としてシェーディング補正されるので、その光量バラツキは適切に調整されている。また、除外画素領域（Ｎ＝０〜４、Ｎ＝４７５〜４７９）は、隣接する対象画素領域の両端画素（Ｎ＝５、Ｎ＝４７４）の補正データＨ”と同一なので、該両端画素の光量を基準として補正されるため、相対的には補正前の光量バラツキと略等しいバラツキが生じる。しかし、前述した如く、除外画素領域は隣接する対象画素領域の両端画素の光量を基準として補正される結果、除外画素領域と対象画素領域の境目は連続性を持って補正されることになり、光量の大きな段差や変化が少なく、感光材の濃度ムラが改善され、全画素領域に於いて良好な画像を得ることが出来る。
【００７５】
尚、図２に於いて光量グラフ２６の除外画素領域の点線２６ａ、２６ｂは、従来の露光
装置によってシェーディング補正された前記図７の光量グラフ５の無効領域の特性を一部コピーした光量グラフである。ここで、本発明の効果は、本発明の露光装置によってシェーディング補正された光量グラフ２６と、従来の露光装置によってシェーディング補正された光量グラフ２６ａ、２６ｂを比較することによって明らかである。すなわち、従来のシェーディング補正結果（光量グラフ２６ａ、２６ｂ）では、補正処理が実行されている有効領域と補正処理が実行されていない無効領域の境界付近に於いて光量の段差や大きな光量変動が見られるが、本発明のシェーディング補正結果（光量グラフ２６）では、対象画素領域と除外画素領域の境界付近に於いて光量の段差や大きな光量変動は見ることが出来ない。また、本発明に於いては光量低下やＬＣＳの応答特性の変化が起きやすい画素列両端付近を除外画素領域と定め、該除外画素領域以外を対象画素領域とし、該対象画素領域内で最小光量Ｆｍｉｎの画素を検出し補正の基準としているので、シェーディング補正後にＬＣＳからの光量が低下して露光に必要な光量が得られないと言った問題も解決される。
【００７６】
尚、本実施形態では除外画素領域を画素列２３の左右両端の５画素と設定したが、この画素数に限定されるものではなく、除外画素領域は光量分布特性に応じて任意に設定して良い。また、本実施形態に於いては、除外画素領域の光量を補正する補正データを隣接する対象画素領域の両端画素の補正データとしたが、これについても限定されるものではなく、対象画素領域の任意の画素の補正データを用いて良い。また、図１で示した本発明の露光装置１０の回路ブロック図、及び、図３で示した光量測定を行う測定システムのブロック図は、この構成に限定されるものではなく、機能を満たすものであればどのような構成であっても良い。また、図４で示したシェーディング補正を行うための光量測定のフローチャート、及び、図５で示したシェーディング補正を行うための補正データを取得するフローチャートは、この動作フローに限定されるものではなく、それぞれの目的を満たすことが出来ればどのような動作フローであっても良い。
【図面の簡単な説明】
【００７７】
【図１】本発明の露光装置の回路ブロック図である。
【図２】本発明の露光装置のＬＣＳの画素配列と、該ＬＣＳから出力される光量特性、及びシェーディング補正を行った結果の光量特性を示す説明図である。
【図３】本発明の露光装置にシェーディング補正を行うための光量測定を行う測定システムの構成を示すブロック図である。
【図４】本発明の露光装置のシェーディング補正を行うための光量測定のフローチャートである。
【図５】本発明の露光装置のシェーディング補正を行うための補正データを取得するフローチャートである。
【図６】本発明の露光装置のシェーディング補正を行うための補正データの一例を示す補正データ表である。
【図７】従来の蛍光発光管を用いた光プリンタヘッドの発光画素配列と、該発光画素から出力される光量特性、及び従来のシェーディング補正を行った結果の光量特性を示す説明図である。
【図８】ＬＣＳの画素列中央付近と画素列両端付近の応答特性を示す説明図である。
【符号の説明】
【００７８】
１  光プリンタヘッド
２、３  発光画素列
４、５、２５、２６  光量グラフ
１０  露光装置
２０  露光ヘッド
２１  ＬＣＳ
２２ａ、２２ｂ  ガラス基板
２３  画素列
２４  画素
２８  ＬＥＤ
３０  露光制御回路
３１  入力Ｉ／Ｆ
３２  シェーディング補正回路
３３、６６  補正データ用メモリ
３４  露光補正回路
３５  ＬＣＳ制御回路
３７、６２  ＬＣＳ駆動回路
３８、６３  ＬＥＤ駆動条件メモリ
３９  ＬＥＤ点灯制御回路
４０  出力Ｉ／Ｆ
５０  測定装置
５１  露光装置Ｉ／Ｆ
５２  電流供給回路
５３  ＰＣ−Ｉ／Ｆ
６０  駆動条件信号作成手段
６１  ＣＰＵ
６４  ＬＣＳ駆動条件メモリ
６５  光量用メモリ
７０  光量測定手段
７１  ＣＣＤラインセンサ
７２  ＣＣＤ制御回路
７３  受光量検出回路
７４  積分回路
８０  ＰＣ
Ｐ１  画像データ
Ｐ２  補正画像データ
Ｐ３  補正データ
Ｐ６  ＬＣＳ駆動信号
Ｐ７  ＬＥＤ駆動条件データ
Ｐ８  ＬＥＤ駆動信号
【図１】
2005271494.tif 000004
【図２】
2005271494.tif 000005
【図３】
2005271494.tif 000006
【図４】
2005271494.tif 000007
【図５】
2005271494.tif 000008
【図６】
2005271494.tif 000009
【図７】
2005271494.tif 000010
【図８】
2005271494.tif 000011